(57)【要約】【課題】ラベルの容易な位置決めと、ラベルの容易な剥離とを両立させる。【解決手段】磁気テープカートリッジ１は、磁気テープを収容するケーシング２を備えている。ケーシング２には、ラベル７を貼付するためのラベルエリア６が、ケーシング２の後側面２ｄよりも凹んだ状態で形成されている。ラベルエリア６の外周縁６０は、貼付されるラベル７の外周縁に対して四方から対向してラベル７の四方への位置決めを行う形状をしている。ラベルエリア６の一部には、ラベル７を貼付する領域よりも外方に突出した爪掛部６１が形成されている。【選択図】図１
2011034630.tif 000002
【特許請求の範囲】
【請求項１】
記録メディアを収容するケーシングを備えたカートリッジであって、
前記ケーシングには、ラベルを貼付するためのラベルエリアが、該ケーシングの外表面よりも凹んだ状態で形成されており、
前記ラベルエリアの外周縁は、貼付されるラベルの外周縁に対して四方から対向して該ラベルの四方への位置決めを行う形状をしており、
前記ラベルエリアの一部には、ラベルを貼付する領域よりも外方に突出した突出部が形成されているカートリッジ。
【請求項２】
請求項１に記載のカートリッジにおいて、
前記突出部は、前記ラベルを貼付する領域と面一に又は該領域よりも深く形成されているカートリッジ。
【請求項３】
請求項１に記載のカートリッジにおいて、
前記ラベルエリアに貼付されるラベルは、方形状であって、
前記ラベルエリアの外周縁は、貼付されるラベルの４つの辺に対向して該ラベルの位置決めを行う４つの辺部を含んでおり、
前記突出部は、前記ラベルエリアの前記４つの辺部のうちの隣接する何れか２つの辺部で形成される隅部に形成されているカートリッジ。
【発明の詳細な説明】
【技術分野】
【０００１】
本発明は、記録メディアを収容するケーシングを備えたカートリッジに関するものである。
【背景技術】
【０００２】
従来より、記録メディアを収容するケーシングを備えたカートリッジが知られている。
【０００３】
例えば、特許文献１には、ディスク状の記録媒体を収容するケーシングを備えたカートリッジが開示されている。このカートリッジのケーシングには、ラベルを貼付するためのラベルエリアが形成されている。ラベルエリアは、貼付されるラベルの外形よりも少し大きい形状をしている。
【先行技術文献】
【特許文献】
【０００４】
【特許文献１】特開平０３−１０８１７５号公報
【発明の概要】
【発明が解決しようとする課題】
【０００５】
このようなカートリッジにおいては、ラベルやラベルエリアの誤差等を考慮して、ラベルエリアの外周縁とラベルの外周縁との間に僅かな隙間が形成されている。そして、ラベルエリアに貼付されたラベルを剥離させる際には、該隙間に爪等をねじ込み、ラベルの外周縁の一部をめくり上げることによって、ラベルを剥がす。
【０００６】
しかしながら、ラベルエリアの外周縁とラベルの外周縁との隙間は小さいため、その隙間に爪等をねじ込み難い。また、該隙間に爪等をねじ込んだとしても、ラベルの外周縁をめくり上げるべく爪等を動かすためのスペースがほとんどなく、ラベルをきれいに剥離させることができない。
【０００７】
かかる問題を解決すべく、ラベルエリアの外周縁とラベルの外周縁との隙間を大きくすることが考えられる。しかし、ラベルエリアの外周縁は、ラベルを貼付する際の位置決めの目安となる部分である。そのため、ラベルエリアの外周縁が、ラベルの外周縁に比べて大きくなり過ぎると、ラベルエリア内においてラベルを貼付する位置が定まり難くなる。その結果、ラベルがラベルエリア内において偏った位置に貼付され易くなり、外観が悪くなってしまう。
【０００８】
ここに開示された技術は、かかる点に鑑みてなされたものであり、その目的とするところは、ラベルの容易な位置決めと、ラベルの容易な剥離とを両立させることにある。
【課題を解決するための手段】
【０００９】
ここに開示されたカートリッジは、記録メディアを収容するケーシングを備えたカートリッジである。そして、前記ケーシングには、ラベルを貼付するためのラベルエリアが、該ケーシングの外表面よりも凹んだ状態で形成されており、前記ラベルエリアの外周縁は、貼付されるラベルの外周縁に対して四方から対向して該ラベルの四方への位置決めを行う形状をしており、前記ラベルエリアの一部には、ラベルを貼付する領域よりも外方に突出した突出部が形成されているものとする。ここで、「ラベルの四方への位置決めを行う」とは、ラベルを少なくとも４つの異なる方向への位置を決めることを意味し、その方向が具体的に限定されるものではない。
【発明の効果】
【００１０】
前記カートリッジによれば、前記ラベルエリアの外周縁を目安にしてラベルを貼付することによって、ラベルの位置決めを容易に行うことができる。それに加えて、前記ラベルエリアの突出部に爪等を入れて、爪等をラベルの外周縁を掻き上げるように動かすことによって、ラベルの外周縁に容易に爪を引っ掛けて該ラベルを容易にめくり上げることができる。
【図面の簡単な説明】
【００１１】
【図１】本発明の実施形態に係る磁気テープカートリッジの側面図である。
【図２】磁気テープカートリッジの平面図である。
【図３】磁気テープカートリッジの分解斜視図である。
【図４】ラベルエリアの部分的な拡大斜視図である。
【発明を実施するための形態】
【００１２】
以下、本発明の例示的な実施形態を図面に基づいて詳細に説明する。
【００１３】
図１は、本発明の実施形態に係る磁気テープカートリッジの側面図であり、図２は、磁気テープカートリッジの平面図であり、図３は、磁気テープカートリッジの分解斜視図である。
【００１４】
実施形態に係る磁気テープカートリッジ１は、例えば、電子計算機に記録された記録データをバックアップするためのストレージデバイスとして使用されるＬＴＯ（Linear Tape Open）規格に準拠した１リール（単一リール）型のカートリッジ式情報記録媒体である。磁気テープカートリッジ１は、ケーシング２、テープリール３、磁気テープ（図示省略）、ロック解除具４、リール押え５、ばね６、カートリッジメモリ２５、及びライトプロテクトプラグ２６を備えている。この磁気テープカートリッジ１がカートリッジを構成する。
【００１５】
ケーシング２は、平面視正方形状の扁平な直方体に形成されている。すなわち、ケーシング２は、平面視正方形状の上面２ａ及び下面２ｂと、細長い長方形状の４つの側面２ｃ〜２ｆとを有している。ここで、磁気テープカートリッジ１を、テープドライブに挿入するときに、テープドライブ側を向いている側面を前側面２ｃ、前側面２ｃと対向する側面を後側面２ｄ、テープドライブの方を向いて右側の側面を右側面２ｅ、テープドライブの方を向いて左側の側面を左側面２ｆと称する。また、ケーシング２は、合成樹脂製の下ケース２１と上ケース２２との分割構造になっている。下ケース２１と上ケース２２との分割ラインは、側面２ｃ〜２ｆをそれぞれ通るようになっている。これらの下ケース２１及び上ケース２２は、それぞれ、平面視正方形状の浅皿状に形成されている。上ケース２２の天板内面には、その略中央において、断面十文字状のガイド突起（図示省略）が下方に突出するように形成されている。下ケース２１と上ケース２２とは、ネジで締結されている。ケーシング２の内部には、テープリール３が収容されている。下ケース２１の底板には、その略中央において、テープリール３の被駆動ギア（図示省略）を外部に露出させるためのギア開口２１ａが形成されている。
【００１６】
また、ケーシング２の右側面２ｅには、テープリール３に巻回された磁気テープを外部に引き出すためのテープ引出口２０ａが形成されている。このテープ引出口２０ａは、薄板状の蓋２３によって開閉可能に塞がれている。蓋２３は、ばね２３ａを介して、テープ引出口２０ａを閉じる方向へ付勢されている。
【００１７】
さらに、ケーシング２内における、後側面２ｄと右側面２ｅとで構成される隅部には、円弧状のリブによって区画されたメモリ収容部２０ｂが形成されている。このメモリ収容部２０ｂには、カートリッジメモリ２５が収容される。カートリッジメモリ２５は、磁気テープカートリッジ１の製造情報や使用履歴情報、磁気テープのパーテーション情報などを記憶するようになっている。
【００１８】
さらにまた、ケーシング２内における、後側面２ｄと左側面２ｆとで構成される隅部には、平板状のリブによって区画されたプラグ収容部２０ｃが形成されている。このプラグ収容部２０ｃには、ライトプロテクトプラグ２６が収容される。ライトプロテクトプラグ２６は、磁気テープカートリッジ１に記録されているデータの誤消去を防止するためのものである。ライトプロテクトプラグ２６は、データ消去許容位置とデータ消去禁止位置との間でスライド移動可能にプラグ収容部２０ｃに収容されている。
【００１９】
テープリール３は、円筒状のハブ３１と、該ハブ３１の上端に鍔状に設けられた上フランジ３２と、該ハブ３１の下端に鍔状に設けられた下フランジ３３と、該下フランジ３３に取り付けられた金属製の吸着板３４とを有している。これらハブ３１、上フランジ３２及び下フランジ３３は、合成樹脂で形成されている。さらに詳しくは、ハブ３１と下フランジ３３とは一体成形されている。そして、下フランジ３３と一体成形されたハブ３１の上端に、上フランジ３２が超音波溶着されている。
【００２０】
ハブ３１は、上端側（即ち、上フランジ側）が開口する一方、下端側（即ち、下フランジ側）が閉塞する有底円筒状に形成されている。このハブ３１の外周面に、磁気テープが巻回されている。
【００２１】
ハブ３１の底壁上面（内面）には、３つの円弧状のリブ３１ｂ（図３では、１つだけ図示）が、互いに間隔を空けて同一円周上に並んだ状態で突設されている。これらリブ３１ｂの上面には、被ロックギア３１ａが形成されている。ハブ３１の底壁には、隣接するリブ３１ｂの間の部分、即ち、リブ３１ｂが設けられていない部分の、径方向外側には、ロック解除具４の後述する爪部４３が嵌合する開口（図示省略）が貫通形成されている。
【００２２】
また、ハブ３１の底壁下面（外面）の中央には、吸着板３４が取り付けられている。さらに、ハブ３１の底壁下面の外周縁には、被駆動ギア（図示省略）が環状に形成されている。尚、前記開口は、底壁のうち被駆動ギアが形成されている部分に開口している。つまり、被駆動ギアの歯に混ざって、ロック解除具４の爪部４３が開口からハブ３１の底壁下面に突出することになる。
【００２３】
また、テープリール３においては、被駆動ギア及び吸着板３４が下ケース２１のギア開口２１ａからケーシング２の外部に露出している。磁気テープカートリッジ１をテープドライブに装填したときには、吸着板３４がテープドライブのモータの駆動軸に磁気吸着され、被駆動ギアに該駆動軸の駆動ギアが噛合するようになっている。
【００２４】
リール押え５は、上向きに開口する扁平な有底筒状をしており、その外径は、テープリール３のハブ３１の内径よりも小さく設定されている。このリール押え５は、該ハブ３１内に配設される。また、リール押え５の底壁上面（内面）の中央には、４個の断面Ｌ字状のリブ５１，５１，…が突設されていて、これら４つのリブ５１，５１，…により十文字状のスライド溝５２が形成されている。このスライド溝５２は、上ケース２２のガイド突起（図示省略）と同様の形状をしていて、該ガイド突起に対して上下方向にスライド移動可能でかつ相対回転不能に係合している。また、リール押え５の底壁下面（外面）には、ロックギア（図示省略）が形成されている。このロックギアは、テープリール３のハブ３１の被ロックギア３１ａに噛合するように形成されている。
【００２５】
ばね６は、コイルばねであって、その内径は、上ケース２２のガイド突起及びリール押え５のリブ５１，５１，…を外周から囲む程度の値に設定されている。すなわち、ばね６は、上ケース２２とリール押え５との間において、ガイド突起とリブ５１，５１，…とを外周から囲むように配置されている。このばね６は、下ケース２１と上ケース２２とが接合されることによって収縮変形して、リール押え５を下側（テープリール３側）に付勢するようになっている。
【００２６】
こうして下側に付勢されるリール押え５は、そのロックギアをテープリール３の被ロックギア３１ａに噛合させた状態で、該テープリール３を下側に押圧する。このとき、リール押え５は、リブ５１，５１，…が上ケース２２のガイド突起に係合して、上ケース２２に対して回転不能な状態となっているため、被ロックギア３１ａがリール押え５のロックギアに噛合しているテープリール３も回転不能な状態となっている。磁気テープカートリッジ１は、非駆動時には、この状態となっている。
【００２７】
ロック解除具４は、本体４１と該本体４１から放射状に延びた３つの腕部４２，４２，４２とを有している。各腕部４２の先端には、屈曲して下方に延びる爪部４３が形成されている。リール押え５のロックギアがハブ３１の被ロックギア３１ａに噛合している状態においては、該リール押え５とハブ３１の底壁との間には隙間が形成されており、ロック解除具４は、このハブ３１の底壁とリール押え５との隙間に配設されている。このとき、ロック解除具４の腕部４２，４２，４２は、ハブ３１の底壁上面のリブ３１ｂとリブとの間を延びて、爪部４３がハブ３１の底壁の開口に嵌っている。ロック解除具４は、磁気テープカートリッジ１の非駆動時には、この状態となっていて、リール押え５のロックギアとハブ３１の被ロックギア３１ａとの噛合状態に影響を与えることはない。一方、磁気テープカートリッジ１がテープドライブに装填されたとき、即ち、駆動時には、ロック解除具４は上方に押し上げられるようになっている。上方に押し上げられたロック解除具４は、さらに、リール押え５をばね６の付勢力に抗して押し上げるようになっている。リール押え５が押し上げられると、該リール押え５のロックギアとハブ３１の被ロックギア３１ａとの噛合が解除され、テープリール３の回転が許容されるようになっている。
【００２８】
このように構成された磁気テープカートリッジ１においては、ラベル７を貼付するためのラベルエリア６がケーシング２の外表面に形成されている。以下、ラベルエリア６の構成について、図４を参照しながら、詳しく説明する。図４は、ラベルエリア６を部分的に拡大した斜視図である。
【００２９】
ラベルエリア６は、ケーシング２の外表面のうち、後側面２ｄに形成されている。ラベルエリア６は、後側面２ｄよりも凹んだ状態で形成されている。また、ラベルエリア６は、そこに貼付されるラベル７の外形に沿った形状をしている。具体的には、ラベル７は略長方形状をしており、ラベルエリア６も同様に略長方形状をしている。詳しくは、ラベルエリア６の外周縁６０は、相対向する一対の上長辺部６０ａ及び下長辺部６０ｂと、相対向する一対の右短辺部６０ｃ及び左短辺部６０ｄとを有している。上長辺部６０ａと下長辺部６０ｂとの間隔は、ラベル７の短手方向の幅よりも少し大きくなっている。また、右短辺部６０ｃと左短辺部６０ｄとの間隔は、ラベル７の長手方向の幅よりも少し大きくなっている。つまり、ラベル７の外周縁とラベルエリア６の外周縁６０との間には僅かな隙間が形成されるようになっている。さらに、ラベルエリア６の深さは、貼付されるラベル７の厚みよりも深くなっている。つまり、ラベルエリア６に貼付されたラベル７は、後側面２ｄよりも突出しないようになっている。
【００３０】
ここで、略長方形状に形成されたラベルエリア６の隅部には、外方に突出した爪掛部６１が形成されている。具体的には、爪掛部６１は、ラベルエリア６の下長辺部６０ｂと右短辺部６０ｃとで形成される隅部に形成されている。爪掛部６１は、４つの辺部６０ａ〜６０ｄで形成される仮想的な長方形よりも外方に突出している。この仮想的な長方形がラベル７を貼付する領域である。爪掛部６１は、ケーシング２の後側面２ｄからはみ出すことなく、後側面２ｄ内に設けられている。爪掛部６１は、図４に示すように、ラベルエリア６と同様に、後側面２ｄよりも凹んだ状態で形成されている。また、爪掛部６１は、ラベルエリア６の底面と面一に形成されている。さらに、爪掛部６１は、一般的なユーザの爪の先端が入る（即ち、爪の先端が爪掛部６１の底面に当接する）程度の幅を有している。この爪掛部６１が突出部を構成する。尚、ラベルエリア６の隅部のうち、爪掛部６１が形成されていない３つの隅部は、湾曲している。
【００３１】
このように構成されたラベルエリア６にラベル７を貼付するときには、ラベル７の外周縁をラベルエリア６の外周縁６０に合わせることによって、ラベル７をラベルエリア６内に貼付することができる。詳しくは、ラベル７を貼付するときには、ラベル７の両長辺をラベルエリア６の上長辺部６０ａ及び下長辺部６０ｂに沿わせると共に、ラベル７の両短辺をラベルエリア６の右短辺部６０ｃ及び左短辺部６０ｄに沿わせるようにする。ラベルエリア６の外周縁６０とラベル７の外周縁との隙間は小さいので、ラベル７の各辺とラベルエリア６の各辺部６０ａ〜６０ｄとが接触していない状態でも、両者が略平行になるように、ラベル７を配置することができる。つまり、ラベルエリア６の外周縁６０とラベル７の外周縁との隙間は、ラベル７の位置決めをできる程度の間隔になっている。こうして、ラベルエリア６の上長辺部６０ａはラベル７の上方への位置決めを行い、下長辺部６０ｂはラベル７の下方への位置決めを行い、右短辺部６０ｃはラベル７の右方への位置決めを行い、左短辺部６０ｄはラベル７の左方への位置決めを行う。
【００３２】
このように、ラベル７の位置決め精度を向上させた結果、ラベルエリア６の外周縁６０とラベル７の外周縁との間の隙間が小さくなっている。そのため、ラベル７を剥がすために、ラベルエリア６の外周縁６０とラベル７の外周縁との隙間に爪を入れようとしても、入れることが難しい。仮に、爪を該隙間に入れることができたとしても、爪を動かせるだけのスペースがなく、ラベル７の外周縁を爪で掻き上げることができない。
【００３３】
そこで、本実施形態では、爪掛部６１を設けている。爪掛部６１においてはラベルエリア６の外周縁６０が外方に突出し、ラベルエリア６の外周縁６０とラベル７の外周縁との隙間が大きくなっている。すなわち、爪掛部６１においては、ラベルエリア６の外周縁６０とラベル７の外周縁との間に、爪を容易に入れることができ、爪をラベル７の外周縁に引っ掛けることができる。さらに、爪掛部６１においては、爪掛部６１内に入れた爪を、ラベルエリア６の外周縁６０からラベル７の外周縁に向かって動かすのに十分なスペースが確保される。よって、爪をラベル７の外周縁に引っ掛けるだけでなく、爪を動かして、ラベル７を掻き上げるようにして剥がすことができる。ラベル７の一部がめくれ上がると、そこを起点として、ラベル７を剥がしていくことができる。こうして、爪掛部６１においては、ラベル７を剥離させるときの起点部を容易に作成することができる。つまり、爪掛部６１は、ラベル７を剥がすときに起点となる部分（即ち、ラベル７がめくれ始めた部分）を作成するための起点作成部として機能する。
【００３４】
したがって、本実施形態によれば、ラベルエリア６の外周縁６０を、ラベル７の４つの辺とそれぞれ対向する辺部６０ａ〜６０ｄを含んで構成することによって、ラベル７の位置決めを容易に行うことができる。すなわち、ラベル７の４つの辺をラベルエリア６の外周縁６０の４つの辺部６０ａ〜６０ｄにそれぞれ沿わせながら、ラベル７をラベルエリア６に貼付することによって、ラベル７をラベルエリア６からはみ出すことなく、ラベルエリア６内に正確に貼付することができる。
【００３５】
そして、ラベルエリア６の外周縁６０をラベル７に対して四方から対向させるようにした構成であっても、ラベルエリア６に爪掛部６１を設けることによって、ラベル７を容易に剥がすことができる。すなわち、爪掛部６１においては、ラベルエリア６の外周縁６０とラベル７の外周縁との間に十分な隙間を確保することができ、ラベル７の外周縁に爪を引っ掛け易くすることができる。それに加えて、爪を動かしてラベル７の外周縁を掻き上げるだけのスペースを確保することができる。それにより、ラベル７の一部を容易にめくり上げることができる。ラベル７の一部がめくれ上がると、そこを起点として、ラベル７を剥がしていくことができる。
【００３６】
これらの結果、ラベル７の容易な位置決めと、ラベル７の容易な剥離とを両立させることができる。
【００３７】
また、爪掛部６１をラベルエリア６の隅部に設けることによって、ラベル７を隅部から剥がすことができる。ラベル７は、辺部から剥がし始めるよりも、隅部から剥がし始める方が剥がし易いため、このように構成することによって、ラベル７を容易に剥がすことができる。
【００３８】
さらに、爪掛部６１はラベルエリア６と面一に形成されているため、ラベルエリア６に貼付されたラベル７の一部が爪掛部６１に位置するようになったとしても、ラベル７がケーシング２の後側面２ｄよりも浮き上がることを防止することができる。すなわち、爪掛部６１は、ラベルエリア６と後側面２ｄとをスロープ状に繋ぐ傾斜面とすることもできる。かかる構成において、ラベル７の一部が爪掛部６１に位置すると、該ラベル７の一部は爪掛部６１の傾斜に沿って浮き上がり、後側面２ｄよりも突出する虞がある。ラベル７が後側面２ｄよりも突出すると、ユーザの手等がラベル７に触れ易くなる。その結果、ラベル７の突出した部分が破損したり、ラベル７が突出した部分から剥がれてしまったりする虞がある。さらには、磁気テープカートリッジ１をＬＴＯライブラリ装置等で扱う場合には、ラベル７がケーシング２の後側面２ｄよりも出っ張っていると、磁気テープカートリッジ１を搬送する際に、ＬＴＯライブラリ装置等のアームがラベル７に引っ掛かって、磁気テープカートリッジ１をうまく搬送できない虞がある。それに対して、爪掛部６１をラベルエリア６と面一に構成することによって、ラベル７の一部が爪掛部６１に位置したとしても、ラベル７がケーシング２の後側面２ｄよりも出っ張ることがなく、ラベル７の破損等や磁気テープカートリッジ１搬送時の引っ掛かり等を防止することができる。
【００３９】
《その他の実施形態》
本発明は、前記実施形態について、以下のような構成としてもよい。
【００４０】
すなわち、前記実施形態では、爪掛部６１は、ラベルエリア６の隅部に形成されているが、これに限られるものではない。例えば、爪掛部６１は、ラベルエリア６の長辺部６０ａ，６０ｂや短辺部６０ｃ，６０ｄに形成されていてもよい。ただし、かかる場合には、爪掛部６１は、長辺部６０ａ，６０ｂや短辺部６０ｃ，６０ｄの一部に形成される必要がある。つまり、爪掛部６１が、右短辺部６０ｃに形成される場合には、右短辺部６０ｃの一部に爪掛部６１が形成され、右短辺部６０ｃが部分的には存在する必要がある。そうすることによって、ラベル７を四方から位置決めすることができる。
【００４１】
また、爪掛部６１の形状は、前記実施形態に限られるものではない。爪掛部６１におけるラベルエリア６の外周縁６０とラベル７の外周縁との隙間が、それ以外の場所における該隙間（即ち、長辺部６０ａ，６０ｂや短辺部６０ｃ，６０ｄにおける隙間）よりも大きい限り、爪掛部６１の形状は、任意の形状とすることができる。
【００４２】
さらに、爪掛部６１は、ユーザの爪を入れるものに限られない。すなわち、爪掛部６１は、ラベル７を剥がすときに起点となる部分を作成するための起点作成部として機能すればよい。よって、ラベル７を爪ではなく、治具等を用いて剥がすことを想定している場合には、爪掛部６１は、該治具等が入る形状であればよい。
【００４３】
また、爪掛部６１は、後側面２ｄ内に収まっているが、これに限られるものでもなく、下面２ｂや右側面２ｅ等の他の外表面まで延びていてもよい。
【００４４】
さらに、爪掛部６１は、ラベルエリア６と面一に形成されているが、これに限られるものではない。例えば、爪掛部６１は、ラベルエリア６とケーシング２の後側面２ｄとをスロープ状に繋ぐ傾斜面に形成されていてもよい。また、爪掛部６１は、ラベルエリア６よりも深く傾斜していく形状であってもよい。さらに、爪掛部６１は、ラベルエリア６よりも段差状に凹んでいてもよい。
【００４５】
さらにまた、爪掛部６１とラベルエリア６とで表面処理が異なっていてもよい。例えば、爪掛部６１だけにシボ加工が施されていてもよい。当然ながら、爪掛部６１とラベルエリア６との両方にシボ加工が施されていてもよい。
【００４６】
また、爪掛部６１は、１つでなくてもよい。すなわち、１つのラベルエリア６に複数の爪掛部６１が設けられていてもよい。
【００４７】
また、前記実施形態では、ラベルエリア６はケーシング２の後側面２ｄに形成されているが、これに限られるものではない。例えば、ラベルエリア６は、ケーシング２の上面２ａに形成されていてもよく、ケーシング２の上面２ａから後側面２ｄに亘って形成されていてもよい。つまり、ラベルエリア６は、ケーシング２の外表面であれば、任意の場所に形成することができる。
【００４８】
さらに、ラベルエリア６の外周縁６０の形状は、長方形状である必要はない。ラベルエリア６の外周縁６０は、ラベル７の四方への位置決めを行う形状であればよい。例えば、ラベルエリア６の外周縁６０は、ラベル７の外形に沿った形状であればよい。すなわち、ラベル７が楕円形状であれば、ラベルエリア６の外周縁６０も楕円形状とすることができる。尚、ラベル７の四方への位置決めを行うことができる限り、ラベルエリア６の外周縁６０はラベル７の外形に沿っていないくてもよい。また、前記実施形態では、互いに直行する上下方向と左右方向からラベル７を位置決めしているが、これに限られず、他の方向への位置決めを行う構成であってもよい。
【００４９】
さらにまた、前記実施形態では、磁気テープカートリッジについて説明したが、記録メディアを収容するケーシングを備えたカートリッジであれば、任意のカートリッジに前記の構成を採用することができる。例えば、磁気テープをケーシングに収容したカセットテープ又はビデオテープや、記録ディスクをケーシングに収容したフロッピディスク又はＭＯや、ＤＶＤ−Ｒディスク又はＤＶＤ−ＲＡＭディスクをケーシング内に収容したカートリッジタイプのＤＶＤ−Ｒディスク又はＤＶＤ−ＲＡＭディスク等に、前記の構成を採用してもよい。
【００５０】
尚、以上の実施形態は、本質的に好ましい例示であって、本発明、その適用物、あるいはその用途の範囲を制限することを意図するものではない。
【産業上の利用可能性】
【００５１】
以上説明したように、本発明は、記録メディアを収容するケーシングを備えたカートリッジについて有用である。
【符号の説明】
【００５２】
１      磁気テープカートリッジ（カートリッジ）
２      ケーシング
２ｄ    後側面（外表面）
６      ラベルエリア
６０    外周縁
６０ａ  上長辺部（辺部）
６０ｂ  下長辺部（辺部）
６０ｃ  右長辺部（辺部）
６０ｄ  左長辺部（辺部）
６１    爪掛部（突出部）
７      ラベル
【図１】
2011034630.tif 000003
【図２】
2011034630.tif 000004
【図３】
2011034630.tif 000005
【図４】
2011034630.tif 000006